(57)【特許請求の範囲】
【請求項１】
左方または右方にスライドして、開扉時に開扉される一方の扉が他方の扉または機枠の前面に重なり、閉扉時には前記一方の扉が他方の扉または機枠の前面と面一になるフラットドアの開閉機構において、前記一方の扉の上端縁に直角方向へ延び出る支持板を取り付け、該支持板の先端縁に扉から等距離のところに位置する二つのガイド部を設け、機枠に前記支持板と平行する面内にあって前記ガイド部をガイドするガイド軌道を設け、該ガイド軌道を、閉扉時の扉に平行する直線軌道と、中央に向かってカーヴして前記直線軌道に合流する内方軌道と、中央に向かって斜めに延びて前記直線軌道に合流する外方軌道とから形成し、外方軌道の終端に前記直線軌道に平行して外方へ延び出す直線短軌道を連結し、内方軌道の終端と直線短軌道とをそれぞれ前記二つのガイド部が閉扉時に係合することのできる位置に配置し、かつ、前記外方軌道の左右方向の長さが前記内方軌道の左右方向の長さよりも長くなるように構成するとともに、インデックスベースに、中央に近い方のガイド部のガイドローラーが嵌入するガイドローラー溝をその周縁に設けた円板状のインデックスプレートを回動可能に付設し、前記ガイドローラーが内方軌道の終端から直線軌道の合流点に移動するに連れて共に回動するように、前記インデックスプレートの周縁を前記内方軌道に重ねて配置し、かつ、扉の開扉時のインデックスプレートの初期の回動に伴なって反発力が蓄積され、扉の閉扉時のインデックスプレートの終期の回動により蓄積された前記の反発力が解放されるように、インデックスプレートに弾性体を連係させたことを特徴とするフラットドアの開閉機構。
【請求項２】
ガイド部を、支持板に軸着したガイドローラーおよびリンクで形成し、リンクの端部に、ガイドローラーと共に軌道に沿って移動するガイド片を取り付け、かつ、インデックスプレートの周縁に、ガイドローラー溝に並べてガイド片が嵌入するガイド片溝を設けたことを特徴とする請求項１に記載のフラットドアの開閉機構。
【請求項３】
インデックスベースに樹立したインデックス軸に対してインデックスプレートおよび回動軸を軸架し、該回動軸にインデックスアームを固着し、インデックスプレートとインデックスアームの間隙にインデックスフィンガーを介挿し、該インデックスフィンガーに、インデックスアームに係合する突出片と指状の長フィンガーおよび短フィンガーとを設け、インデックスベースに装着されるインデックスカバーに、前記突出片の先端がガイドされてその終端で係止される形状の突出片ガイド溝を設けると共に、インデックスプレートに作動突起を設けて、該作動突起が、インデックスプレートの回動に連れ、前記長フィンガーと短フィンガーの間に入り込みインデックスフィンガーとインデックスアームとを回動させ、弾性体に反発力を蓄積させ、インデックスフィンガーの突出片が突出片ガイド溝の終端に至ったときにその終端で係止され、前記作動突起が短フィンガーを越えてその先端から抜け出しインデックスフィンガーから離脱できるように構成したことを特徴とする請求項１または請求項２に記載のフラットドアの開閉機構。
【請求項４】
回動軸にダンパーを連結したことを特徴とする請求項１、請求項２または請求項３に記載のフラットドアの開閉機構。
【発明の詳細な説明】
【技術分野】
【０００１】  本発明は、左方または右方にスライドして、開扉時には開扉される一方の扉が他方の扉または機枠の前面に重なり、閉扉時には前記一方の扉が他方の扉または機枠の前面と面一になるフラットドアの開閉機構に関する。
【背景技術】
【０００２】  フラットドアは、閉扉時には一方の扉の端面が他方の扉または機枠の端面とに接し、ぴたっと閉め切られるようになっている。したがって、それを開扉するにはまず、開扉される一方の扉の端面を他方の扉または機枠の端面からスムーズに引き離さなければならない。そのための工夫を講じた従来の技術としては、例えば特開２００２−８９１２５号公報所載の発明がある。この発明にあっては、開扉される扉の側端部に扉と直角になる方向に、手動の操作力を加えて扉を回転させ扉の他の側端部を接触している端面から引き離してから、引き続いて扉に平行する方向に手動の操作力を加えて、その扉を他方の扉に重ねさせていた。すなわち、扉を開くには、二つの異なる方向の力を加える必要があった。【０００３】  また、従来のフラットドアにおいては、閉扉して一方の扉を他方の扉または機枠の前面と面一にする際、その閉扉行程の終期において、一方の扉を面一になる位置にまで着実に引き込む（閉め切る）特段の力が必要とされていた。引き込む力が別途加えられなければ、扉が面一になる正しい位置に常に確実に引き戻すことが難しくなるからである。そのための工夫が講じられたものとしては特許第３８６１２４９号の発明がある。【０００４】  この発明においては、扉に常に下向きに働いている重力の助けを借り、閉扉行程の終期において扉を少し高みに登せてから引き込み位置に落とし込むようにしてある。しかし、そのような作用を行わせるには、複雑な仕組みと頑丈な構造が必要であり、ひいては、製作費も高価なものとなった。
【特許文献１】  特開２００２−８９１２５号公報
【特許文献２】  特許第３８６１２４９号明細書
【発明の開示】
【発明が解決しようとする課題】
【０００５】  本発明の解決課題は、上記従来の技術によっては解決できない問題、すなわち、極めて簡単な構成によって、一方向の手動の操作力を加えるだけで、隣り合う扉または機枠の端面に当接させることなく扉をスムーズに開閉させることのできるフラットドア、または／および、閉扉行程の終期において、重力や特段の手動の操作力などを加えることなく扉を面一になる位置に引き込むことのできるところの、低廉で簡易なフラットドアを提供することにある。
【課題を解決するための手段】
【０００６】  理解を容易にするため、各構成部分には実施例で用いた符号を添書する。
極めて簡単な構成によって、一方向の手動の操作力を加えるだけで、隣り合う扉または機枠の端面に当接させることなく扉を開閉させることのできるようにするため、本発明では次の構成を採用した。
左方または右方にスライドして、開扉時に開扉される一方の扉１が他方の扉２または機枠の前面に重なり、閉扉時には前記一方の扉１が他方の扉２または機枠の前面と面一になるフラットドアの開閉機構において、前記一方の扉１の上端縁に直角方向へ延び出る支持板９を取り付け、該支持板９の先端縁に扉１から等距離のところに位置する二つのガイド部を設け、機枠に前記支持板９と平行する面内にあって前記ガイド部をガイドするガイド軌道１０を設け、該ガイド軌道１０を、閉扉時の扉１、２に平行する直線軌道１７と、中央に向かってカーヴして前記直線軌道１７に合流する内方軌道１１と、中央に向かって斜めに延びて前記直線軌道１７に合流する外方軌道２９とから形成し、外方軌道２９の終端に前記直線軌道１７に平行して外方へ延び出す直線短軌道１８を連結し、内方軌道１１の終端と直線短軌道１８とをそれぞれ前記二つのガイド部が閉扉時に係合することのできる位置に配置し、かつ、前記外方軌道２９の左右方向の長さが前記内方軌道１１の左右方向の長さよりも長くなるように構成した。【０００７】  極めて簡単な構成にして支持機構やガイド機構等に高剛性の材料など使うことなく、二枚の扉が安定して交互に移動できるようにするため、本発明では次の構成を採用した。
二つのガイド部間の距離を一方の扉１または２の横幅の半分を超える長さとし、直線軌道１７を一本とし、その両端辺に内方軌道１１と直線短軌道１８を連結した外方軌道２９とを設けるように構成した。【０００８】  閉扉行程の終期において、重力や特段の手動の操作力などに頼ることなく、開扉行程の初期に蓄積した反発力を利用し、扉１を面一になる位置に常に確実に引き込むことができるようにするため、本発明では次の構成を採用した。
インデックスベースに、中央に近い方のガイド部のガイドローラーが嵌入するガイドローラー溝をその周縁に設けた円板状のインデックスプレートを回動可能に付設し、前記ガイドローラーが内方軌道の終端から直線軌道の合流点に移動するに連れて共に回動するように、前記インデックスプレートの周縁を前記内方軌道に重ねて配置し、かつ、扉の開扉時のインデックスプレートの初期の回動に伴なって反発力が蓄積され、扉の閉扉時のインデックスプレートの終期の回動により蓄積された前記の反発力が解放されるように、インデックスプレートに弾性体を連係させた【０００９】  扉１の移動を導くガイドローラーが安定して確実に軌道に沿って移動できるようにするため、本発明では次の構成を採用した。
ガイド部を、支持板９に軸着したガイドローラー１４およびリンク１２で形成し、リンク１２の端部に、ガイドローラー１４と共に軌道に沿って移動するガイド片２０を取り付け、かつ、インデックスプレート２の周縁に、ガイドローラー溝１９に並べてガイド片２０が嵌入するガイド片溝２１を設けた。【００１０】  扉１の開扉行程の初期において弾性体に反発力が蓄積され、閉扉行程の終期において蓄積された反発力が確実に解放されるようにするための好例として、本発明では次の構成を採用した。
インデックスベースに樹立したインデックス軸に対してインデックスプレートおよび回動軸を軸架し、該回動軸にインデックスアームを固着し、インデックスプレートとインデックスアームの間隙にインデックスフィンガーを介挿し、該インデックスフィンガーに、インデックスアームに係合する突出片と指状の長フィンガーおよび短フィンガーとを設け、インデックスベースに装着されるインデックスカバーに、前記突出片の先端がガイドされてその終端で係止される形状の突出片ガイド溝を設けると共に、インデックスプレートに作動突起を設けて、該作動突起が、インデックスプレートの回動に連れ、前記長フィンガーと短フィンガーの間に入り込みインデックスフィンガーとインデックスアームとを回動させ、弾性体に反発力を蓄積させ、インデックスフィンガーの突出片が突出片ガイド溝の終端に至ったときにその終端で係止され、前記作動突起が短フィンガーを越えてその先端から抜け出しインデックスフィンガーから離脱できるように構成した【００１１】  閉扉行程の終期において反発力が徐々に解放されるようにするため、本発明では次の構成を採用した。
回動軸にダンパー２８を連結した。
【発明の効果】
【００１２】  請求項１に記載した発明においては、外方軌道の左右方向の長さが内方軌道の左右方向の長さよりも長くなるように構成されている。すなわち添付の図２０でいうと、外方軌道２９の左右方向の長さｓ１の長さが内方軌道１１のｓ２の長さより長くなっている。開扉行程の初期において、図で白丸の位置にあった各ガイドローラー１４が距離ｓ２だけ左方向に移動すると、各ガイドローラー１４は図の下向きにｈ２とｈ１だけ移動することになる。
その移動の当初においては、中央から遠い方のガイドローラー１４は直線短軌道１８にあって下向きの移動はなく、その間、中央に近い方のガイドローラー１４のみが下向きに移動するため、扉１の左端面のみが扉２の右端面から下向きに離間する。ガイドローラー１４が直線短軌道１８から外方軌道２９へ移るとその下向きの移動距離は中央に近い方のガイドローラー１４の下向きの移動距離より短いから扉１は徐々に角度を変えて扉２に重なるように近付いていく。その後、左のガイドローラー１４も右のガイドローラー１４も共に直線軌道１７に導かれ、扉１は扉２と深く重なる位置に移動して行く。【００１３】  以上の作用は、内方軌道と外方軌道の左右方向の長さを異ならせるという簡単な構成によって達成される。複雑な機構や高剛性の材料など使用する必要がない。しかも、扉には一方向の手動の操作力を加えるだけでよい。
なお、この発明は、一方の扉が他方の扉の前面と面一になるフラットドアについても、一方の扉が機枠の前面と面一になるフラットドアについても適用できる。【００１４】  請求項２に記載した発明においては、扉の移動をガイドするガイドローラーが扉の横幅の半分を越える長さとしてあるから、その移動が横幅の半分以下の場合に比べてずっとスムーズに行われるようになる。そして、開扉時または閉扉時に従来例においては扉の下端部がふらつくものが多かったが、本発明ではそのふらつきを効果的に抑制することができた。また、ガイド軌道の直線部分（直線軌道）を一本にしその両端辺に内方軌道と直線短軌道を連結した外方軌道とを設けているから、直線軌道は両方の扉で交互に利用することができる。すなわち、右方の扉を左方の扉に重ねるときには、右方の内方軌道と直線短軌道を連結した外方軌道を使い、左方の扉を右方の扉に重ねるときには、左方の内方軌道と直線短軌道を連結した外方軌道を使えばよいから、装置がコンパクトになり部品点数を減らし製作費を低減することができる。【００１５】  請求項３に記載した発明においては、インデックスプレートに弾性体を連係させて、扉の開扉行程の初期のインデックスプレートの回動に伴ない反発力が蓄積され、蓄積された反発力が扉の閉扉行程の終期に解放されるように構成されている。それ故、前記の終期において引き込むまたは押し込む方向の特段の手動の操作力などを必要とせずに、扉を左方または右方にスライドさせる一方向の手動の操作力のみによって、扉を面一になる位置に常に確実に引き込むことができる。
従来例のように、扉にかかる重力を利用することもないから、扉を高みに持ち上げる操作力も不要となる。【００１６】  請求項４に記載した発明においては、ガイドローラーとガイド片が並べて支持板に取り付けられ、両者が軌道に沿って並んで移動するように構成されているから、ガイドローラーが一個だけの場合に比べて支持板の移動が、ひいては扉の移動が非常に安定し確実なものとなる。【００１７】  請求項５に記載した発明においては、インデックス軸、作動突起を設け弾性体を連係させたインデックスプレート、インデックスアームを固着した回動軸、突出片と指状の長フィンガーおよび短フィンガー等から成るインデックスフィンガーおよび突出片ガイド溝を設けたインデックスカバーが特定の構造を持ち、巧みに組み合わされているため、前記作動突起が、インデックスプレートの回動に連れ、前記長フィンガーと短フィンガーの間に入り込みインデックスフィンガーとインデックスアームとを回動させて、弾性体に反発力を蓄積させ、インデックスフィンガーの突出片が突出片ガイド溝の終端に至ったときにその終端で係止され、前記作動突起が短フィンガーを押圧し、その先端から抜け出して回動を続けるという動作を滑らかに安定して確実に行わせることができる。
なお、閉扉行程の終期においては、前記の構成によりこれらの動作が逆向きに行われる。【００１８】  請求項５に記載した発明においては、回動軸３２がダンパーに連結されているから、閉扉行程の終期において、扉がゆっくりと面一になる位置に近付き、そこに確実に引き込まれ停止する。
【発明を実施するための最良の形態】
【００１９】  左方または右方にスライドして、開扉時に開扉される一方の扉が他方の扉または機枠の前面に重なり、閉扉時には前記一方の扉が他方の扉または機枠の前面と面一になるフラットドアの開閉機構において、インデックスベースに樹立したインデックス軸に対してインデックスプレートおよび回動軸を軸架し、該回動軸にインデックスアームを固着し、インデックスプレートとインデックスアームの間隙にインデックスフィンガーを介挿し、該インデックスフィンガーに、インデックスアームに係合する突出片と指状の長フィンガーおよび短フィンガーとを設け、インデックスベースに装着されるインデックスカバーに、前記突出片の先端がガイドされてその終端で係止される形状の突出片ガイド溝を設けると共に、インデックスプレートに作動突起を設けて、該作動突起が、インデックスプレートの回動に連れ、前記長フィンガーと短フィンガーの間に入り込みインデックスフィンガーとインデックスアームとを回動させ、弾性体に反発力を蓄積させ、インデックスフィンガーの突出片が突出片ガイド溝の終端に至ったときにその終端で係止され、前記作動突起が短フィンガーを越えてその先端から抜け出しインデックスフィンガーから離脱できるように構成する。
【実施例】
【００２０】  添付図面を参照しながら、本発明の実施例について説明する。
図１から図３は、扉１、扉２と本発明の関係を示す斜視図で、図１は両扉が閉扉状態にあるときの図、図２は扉１が開き始めたときの図、図３は扉１のガイド部が直線軌道１７に入り扉１が扉２と平行状態になったときの図である。
図４はガイド軌道１０の平面図である。
図５から図７は扉１、２とインデックスＲ、Ｌとガイド軌道１０との関係を示す模式図であり、図５は両扉が閉扉状態にあるときの図、図６は扉１が開き始めたときの図、図７はガイド部が直線軌道１７に入り扉１が扉２と平行状態になって全開したときの図である。【００２１】  図８から図１２はインデックスプレート２の回動に始まる開扉行程の初期における作動を逐次的に示す平面図であり、図８は作動突起２６が長フィンガー２２と短フィンガー２３の間に入り、突出片２４を介しインデックスアーム３を回動させ始めるときの図、図９はその回動がさらに進み突出片２４が突出片ガイド溝２５の終端に達したときの図、図１０は作動突起２６がインデックスフィンガー５を少し傾け突出片２４を突出片ガイド溝２５の終端に係止させたときの図、図１１は作動突起２６がインデックスフィンガー５から離れて回動を続け、ガイドローラー１４がガイドローラー溝１９から離脱し、インデックスフィンガー５とインデックスアーム３は停止しているときの図、図１２は中央から遠い方のガイド部のガイド片２０が逃がし溝３３を通り抜けるときの図である。【００２２】  図１３、図１４は反発力の蓄積、解放に関与する部分の構成を示す図であり、いずれも、（ａ）はインデックスカバー側の構成を（ｂ）はインデックスカバーが装着されるインデックスベース側の構成を示しており、図１３は右斜視図、図１４は左斜視図である。
図１５、図１６はガイド部を示し、図１５はその正面図、図１６はその側面図である。図１７はダンパー２８の斜視図である。【００２３】  図１８は、回動軸３２を固着したインデックスアーム３とインデックスフィンガー５とインデックスプレート２との配設位置関係を示す分解図であり図１９は図１８にさらにスプリング４とインデックスベース１を加えた分解図である。
図２０は一方向の手動の操作力を加えるだけで、隣り合う扉または機枠の端面に当接させることなく扉を開閉させることのできるようにする構成を示した模式図である。
なお、以上の図面は、扉１および扉２が垂直面内を移動する場合について記載されているが、若干の設計変更を加えれば、本発明は扉１および扉２が水平面内等を移動する場合についても（その具体例は省略するが、）適用できるものである。【００２４】  請求項１に記載された発明の実施例について説明する。
支持板９の先端縁に扉１から等距離のところに位置する二つのガイド部は、図では支持板９の下側に付けられている（図３参照。）が、支持板９の上側または横側に付けるようにする設計変更も可能である。その場合には、前記ガイド部をガイドするガイド軌道１０もその変更に対応してその位置を変える。
機枠に設けるガイド軌道１０の設計にあたっては、特に、図２０に示すｈ１がゼロである間にｈ２が（扉１の左端面を扉２の右端面から引き離すのに）十分なだけの距離になるような寸法にする等のことを考慮して、直線短軌道１８その他の長さを定め、内方軌道１１はインデックスプレートの周縁に合致する形にカーヴさせる。各軌道の合流点を滑らかに接続するように形成するのは、いうまでもない。【００２５】  請求項２に記載された発明の実施例について説明する。
二つのガイド部間の距離は長ければ長いほど扉の移動は安定したものとなるが、直線軌道１７は一本なのであるから、それを定めるにあたっては、図７に示すように、扉１の全開時において、扉１の二つのガイド部の間に扉２のインデックスＬが位置する程度の長さにすることが一般的な設計といえる。
軌道の形について、図では断面凹型のものを示したが、これに限られることなく、鉄道線路のような断面のものにし、ガイドローラー１４等をそれに対応する形にしても良いことは勿論である。【００２６】  さらに、扉の平行移動を安定させる上で有効な対策としては、次の二つのものが考えられる。
まず、扉の平行移動を不安定にさせる要因について説明する。
開扉時に、中央から遠い方のガイド部のガイドローラー１４が内方軌道１１と直線軌道１７との合流点を通過する時に、扉１の右縁部に直角方向の力が加わると、扉１の直線軌道１７に対する平行移動が不安定になる。換言すると、ガイドローラー１４とガイド片２０を結ぶ線と直線軌道１７の中心線の二つの線の成す角度が、ゼロでなくなり、平行した移動ができなくなる。その原因は、図２０等から容易に見て取れるように、直線軌道１７の溝の幅（同図でいうと、直線軌道１７の溝の中心線に直角な方向の長さ）が合流点において急に広くなり、その広くなったところにガイドローラー１４が入り込んでしまうところにあることが分かった。【００２７】  叙上の現象を生じさせない対策としては、直線軌道１７の溝の深さを内方軌道１１の溝の深さよりも少し深くすること（図１１参照。）が考えられた。そして、中央から遠い方のガイド部のガイドローラー１４とガイド片２０をその深さに対応する長さにした。
そうにすれば、ガイドローラー１４は合流点の広くなったところに入り込まずに、直線軌道１７にのみ導かれて移動するようになる。なお、この対策は、ガイド部がガイドローラー１４のみで構成されている場合にも効果がある。
また、前記の不安定さを軽減する対策としては、ガイドローラー１４とガイド片２０の離間間隔を長くとることが考えられた。そうにすれば、先行するガイドローラー１４が前記の広くなったところに入り込んだとしても、ガイドローラー１４とガイド片２０を結ぶ線と直線軌道１７の中心線の二つの線の成す角度を（前記離間間隔が短い場合よりも）小さくすることができる。角度が小さくなると（すなわち、前記の角度がゼロに近くなると）、移動の不安定さが軽減される。【００２８】  請求項３に記載された発明の実施例について説明する。
円板状のインデックスプレート２の周縁に設けるガイドローラー溝１９は、図８から図１２および図１８、図１９に示すように、中央に近い方のガイド部のガイドローラー１４が嵌入し易く、また抜け出し易くなるような形状にする。
インデックスプレート２に連係される弾性体としては、図では引張りスプリング４を示したが、少し設計を変えて、圧縮スプリングとしても良いし、滑車やワイヤーに連なる重りを用いることも、内蔵ガスを圧縮し反発力を生じさせるガススプリングなどを用いるようにすることもできる。
図８から図１４に示したスプリング４は、図１９および図１３、図１４に明示されているように、インデックスベース１と回動軸３２に設けられた係留片３０との間に張架され、扉１の開扉時に、回動軸３２に固着されたインデックスアーム３の回動に伴なって反発力が蓄積されるように設計されている。
弾性体としてスプリング以外の物を使う場合には、それに適した設計変更が行われなければならない。【００２９】  請求項４に記載された発明の実施例について説明する。
ガイド部の詳細は図１５および図１６に記載した。図では支持板９の端部にガイド部が設けられ、リンク１２とガイドローラー１４がリンクシャフト１３に軸支されている。
ガイド片２０は、扉１の移動を導くガイドローラー１４が安定して確実に軌道に沿って移動できるようなものとする。インデックスプレート２に設けるガイド片溝２１の形状は、前述したガイドローラー溝１９の形状を参考にして定めることができる。ガイド片２０の配置については、中央に近い方のガイド部においては端部のガイドローラー１４の手前に配置し、中央から遠い方のガイド部においては端部にガイド片２０をその手前にガイドローラー１４を配置するのが望ましい。
図では、リンク１２の側部に安定ローラー１５が取り付けられているが、それにより扉の移動はさらに安定する。また、図８から図１２および図１８、図１９に示すように、内方軌道１１と直線軌道１７との合流点において直線軌道１７側に、食い込み凹部３１（図１９参照）を設けておけば、ガイドローラー溝１９およびガイド片溝２１の深さを深くとることができるから、ガイド片２０およびガイドローラー１４との係合がさらに安定する。【００３０】  請求項５に記載された発明の実施例について説明する。
請求項５の各構成部分は、次の作動を完遂するように造られる。
開扉行程は図８から始まる。
図８において、インデックスプレート２はガイドローラー１４の時計方向の回動に連れて同方向に回動しスプリング４を引き伸ばし始める。すなわち、インデックスプレート２に固定した作動突起２６は、長フィンガー２２と短フィンガー２３の間に入り込みインデックスフィンガー５を押し動かし、インデックスフィンガー５の突出片２４は、インデックスカバー７の突出片ガイド溝２５に導かれながらインデックスアーム３を時計方向に回動させる。
これに関与する構成部分の設計にあたっては、叙上の回動がスムーズに安定して行えるよう、細心の注意が払われなければならない。【００３１】  図９は前記の回動が進み、突出片２４が突出片ガイド溝２５の終端まで来たところを示す。作動突起２６はなおも進んでインデックスフィンガー５を少し傾けさせ、突出片２４を突出片ガイド溝２５の終端に係止させる。スプリング４はこの時に至るまで引き伸ばされ反発力を蓄積する。
図１０は作動突起２６がさらに進み短フィンガー２３の先端を越えたところを示す。インデックスアーム３とインデックスフィンガー５はこの時点で回動を止めその位置に止まる。【００３２】  図１１は、その後もインデックスプレート２が回動を続け、ガイドローラー１４がインデックスプレート２のガイドローラー溝１９から離れたところを示す。ここでインデックスプレート２の回動は一時中止し、ガイドローラー１４はガイド軌道１０の直線軌道１７に入り左方へ進む。
図１２は中央から遠い方のガイド部がインデックスＲを通り抜けたときの状態を示す。その場合において、中央から遠い方のガイド部のガイドローラー１４は、図示の例では、ガイドローラー溝１９に続いてインデックスプレート２の周縁に設けられた逃がし溝３３に入り、インデックスプレート２をさらに回動させ、その後にインデックスＲから離れるようになっている。
以上の行程を経て、扉１は扉２に重なり開扉される。【００３３】  閉扉行程においては、叙上の過程が逆向きに行われる。
すなわち、扉１を左方に動かすと、中央から遠い方のガイド部がインデックスプレート２を回動させながら通り抜け、引き続いて中央に近い方のガイド部がインデックスＲにさしかかる。その時点の状態は図１１に示されている。次いでガイドローラー１４がガイドローラー溝１９の右壁を押してインデックスプレート２をさらに回動させる。その回動が進み作動突起２６が長フィンガー２２を押すと、突出片２４が突出片ガイド溝２５の係止から外れ、同時に作動突起２６が長フィンガー２２と短フィンガー２３の間に入り込む。【００３４】  そして、拘束を解かれたインデックスアーム３はスプリング４に蓄積された反発力によって反時計方向に回動する。インデックスアーム３のその回動はインデックスフィンガー５および作動突起２６を介してインデックスプレート２に伝えられ、インデックスプレート２は、ガイドローラ溝１９に入っているガイドローラー１４を反時計方向に（インデックス軸８を中心に）回動させるから、扉１は面一になる位置に確実に引き戻される。
上記の各構成部分は、言うまでもなく、叙上の作動が確実に行われるように設計されなければならない。【００３５】  請求項６に記載された発明の実施例について説明する。
図１７、図１８または図１９によれば、ダンパー２８は、ピニオン６と歯車２７を介して、該歯車２７を固定した回動軸３２に連結されている。
しかし、連結の態様はこれのみに限らず他の公知の連結機構を用いても良いことは勿論である。また、ダンパーにしても、閉扉行程の終期において反発力が徐々に解放されるような機能をもつものであればよく、各種の公知のものが用いられる。
【図面の簡単な説明】
【００３６】
【図１】扉１と扉２が閉扉状態にあるときの斜視図である。
【図２】扉１が開き始めたときの斜視図である。
【図３】扉１の両ガイド部が直線軌道１７に入り扉１が扉２と平行状態になったときの斜視図である。
【図４】ガイド軌道１０の平面図である。
【図５】両扉が閉扉状態にあるときの扉１、２とインデックスＲ、Ｌとガイド軌道１０の三者の関係を示す模式図である。
【図６】扉１が開き始めたときの前記の三者の関係を示す模式図である。
【図７】ガイド部が直線軌道１７に入り扉１が扉２と平行状態になって全開したときの前記の三者の関係を示す模式図である。
【図８】作動突起２６が長フィンガー２２と短フィンガー２３の間に入り突出片２４を介しインデックスアーム３を回動させ始めるときの平面図である。
【図９】インデックスアーム３の回動がさらに進み突出片２４が突出片ガイド溝２５の終端に達したときの平面図である。
【図１０】作動突起２６が、インデックスフィンガー５を少し傾け突出片２４を突出片ガイド溝２５の終端に係止させ、短フィンガー２３の先端を越えようとしているときの平面図である。
【図１１】作動突起２６はインデックスフィンガー５から離れて回動を続け、ガイドローラ１４がガイドローラ溝１９から離脱し、インデックスフィンガー５とインデックスアーム３は停止しているときの平面図である。
【図１２】中央から遠い方のガイド部のガイド片２０が逃がし溝３３を通り抜けるときの平面図である。
【図１３】反発力の蓄積、解放に関与する部分の構成を示す右斜視図であり、（ａ）はインデックスカバー側の構成を（ｂ）はインデックスカバーが装着されるインデックスベース側の構成を示す。
【図１４】反発力の蓄積、解放に関与する部分の構成を示す左斜視図であり、（ａ）はインデックスカバー側の構成を（ｂ）はインデックスカバーが装着されるインデックスベース側の構成を示す。
【図１５】ガイド部の正面図である。
【図１６】ガイド部の側面図である。
【図１７】ダンパー２８の斜視図である。
【図１８】回動軸３２に固着したインデックスアーム３とインデックスフィンガー５とインデックスプレート２の三者の配設位置関係を示す分解図である。
【図１９】前記の三者にさらにスプリング４とインデックスベース１を加えた分解図である。
【図２０】一方向の手動の操作力を加えるだけで、隣り合う扉または機枠の端面に当接させることなく扉を開閉させることのできる構成を示した模式図である。
【符号の説明】
【００３７】１    インデックスベース
２    インデックスプレート
３    インデックスアーム
４    スプリング
５    インデックスフィンガー
７    インデックスカバー
８    インデックス軸
９    支持板
１０  ガイド軌道
１１  内方軌道
１２  リンク
１４  ガイドローラー
１７  直線軌道
１８  直線短軌道
１９  ガイドローラー溝
２０  ガイド片
２１  ガイド片溝
２２  長フィンガー
２３  短フィンガー
２４  突出片
２５  突出片ガイド溝
２６  作動突起
２８  ダンパー
２９  外方軌道
【要約】
【課題】
極めて簡単な構成によって、一方向の手動の操作力を加えるだけで、隣り合う扉または機枠の端面に当接させることなく扉をスムーズに開閉させることのできるフラットドア、または／および、閉扉行程の終期において、重力や特段の手動の操作力などを加えることなく扉を面一になる位置に引き込むことのできるところの、低廉で簡易なフラットドアを提供する。
【解決手段】
ガイド軌道を、直線軌道とそれに連なる内方の軌道と外方の軌道と直線短軌道とで形成し、または／および、開扉行程の初期において、内方の軌道にガイドされて移動するガイドローラーにより弾性体を作動させ反発力を蓄積させ、開扉行程の終期において、その反発力を解放させるように構成した。
【選択図】図３【図１】
0004200468.tif 000002
【図２】
0004200468.tif 000003
【図３】
0004200468.tif 000004
【図４】
0004200468.tif 000005
【図５】
0004200468.tif 000006
【図６】
0004200468.tif 000007
【図７】
0004200468.tif 000008
【図８】
0004200468.tif 000009
【図９】
0004200468.tif 000010
【図１０】
0004200468.tif 000011
【図１１】
0004200468.tif 000012
【図１２】
0004200468.tif 000013
【図１３】
0004200468.tif 000014
【図１４】
0004200468.tif 000015
【図１５】
0004200468.tif 000016
【図１６】
0004200468.tif 000017
【図１７】
0004200468.tif 000018
【図１８】
0004200468.tif 000019
【図１９】
0004200468.tif 000020
【図２０】
0004200468.tif 000021